(57)【要約】【課題】ブラウズ物品推薦の方法の提供。【解決手段】本発明のブラウズ物品推薦の方法は、まず、第１装置が少なくとも一つの第１ウェブページをブラウズし、該第１ウェブページは該第１装置がサーチエンジンで第１物品をサーチした結果であるか、或いは第１物品は第１ウェブページのウェブページエレメントとされ、該第１装置が第１物品を検索するか或いは第１物品を第１集合に属すると定義するとき、第１装置と接続された第１サーバーが、第１物品が第１集合に属することを記録し、ユーザーの行為を通して物品の関連性を判断し、並びに第１サーバーに接続された第２装置がサーチエンジンで第２物品を検索するか或いは第２物品が第２集合に属することを定義するとき、第２物品と第１物品を対比し、第２物品が第１物品にマッチするとき、第１集合中のその他の第１物品を第２装置に伝送し、こうしてブラウズ物品推薦の効果を達成する。【選択図】図１Ｂ
2015090700.tif 000002
【特許請求の範囲】
【請求項１】
ブラウズ物品推薦の方法において、
第１装置が少なくとも一つの第１ウェブページをブラウズし、且つ少なくとも一つの第１物品が該第１ウェブページに関連し、
該第１装置に接続された第１サーバーが、該第１物品が少なくとも一つの第１集合に属することを記録し、
該第１サーバーと接続された第２装置の第２物品と、該第１集合の該第１物品を対比し、
該第２物品が該第１物品とマッチするとき、該第１サーバーが該第１集合の該第１物品を該第２装置に伝送し、
以上のステップを包含することを特徴とする、ブラウズ物品推薦の方法。
【請求項２】
請求項１記載のブラウズ物品推薦の方法において、該第１装置が該第１ウェブページをブラウズする前に、さらに、
該第１装置がサーチエンジンに接続され並びに該第１物品を以て検索を行ない、
該第１装置が該サーチエンジンにより該第１物品を検索した結果、該第１ウェブページをブラウズし、
以上のステップを包含することを特徴とする、ブラウズ物品推薦の方法。
【請求項３】
請求項１記載のブラウズ物品推薦の方法において、該第１装置は該第１サーバーより、或いは、該第１サーバーに接続された第２サーバーより、該第１ウェブページを読み取ることを特徴とする、ブラウズ物品推薦の方法。
【請求項４】
請求項１記載のブラウズ物品推薦の方法において、該第１装置は該第１装置に接続された第２サーバーより、該第１ウェブページを読み取ることを特徴とする、ブラウズ物品推薦の方法。
【請求項５】
請求項１記載のブラウズ物品推薦の方法において、該第１物品はキーワード或いはウェブページ情報とされることを特徴とする、ブラウズ物品推薦の方法。
【請求項６】
請求項５記載のブラウズ物品推薦の方法において、該ウェブページ情報は、ウェブアドレス、文字段落、イメージ、動画或いは埋め込み外部情報とされることを特徴とする、ブラウズ物品推薦の方法。
【請求項７】
請求項１記載のブラウズ物品推薦の方法において、該第１装置が該第１ウェブページをブラウズした後に、該第１装置に接続された該第１サーバーが、該第１物品が該第１集合に属することを記録する前に、さらに、
該第１装置が該第１物品が該第１集合に属すると定義するステップ、
を包含することを特徴とする、ブラウズ物品推薦の方法。
【請求項８】
請求項７記載のブラウズ物品推薦の方法において、該第１装置が該第１物品が該第１集合に属すると定義した後、該第１装置に接続された該第１サーバーが該第１物品が該第１集合に属することを記録する前に、さらに、
該第１装置が該第１物品を、該第１サーバーに伝送するステップ、
を包含することを特徴とする、ブラウズ物品推薦の方法。
【請求項９】
請求項１記載のブラウズ物品推薦の方法において、該第１装置に接続された該第１サーバーが、該第１物品が該第１集合に属することを記録した後、該第１サーバーに接続された該第２装置の該第２物品と該第１集合の該第１物品を対比する前に、さらに、
該第２装置がサーチエンジンに接続され並びに該第２物品を以て検索を行なうステップ、
を包含することを特徴とする、ブラウズ物品推薦の方法。
【請求項１０】
請求項１記載のブラウズ物品推薦の方法において、該第１装置に接続された該第１サーバーが、該第１物品が該第１集合に属することを記録した後、該第１サーバーに接続された該第２装置の該第２物品と該第１集合の該第１物品を対比する前に、さらに、
該第２装置が該第２物品が少なくとも一つの第２集合に属することを定義するステップ、
を包含することを特徴とする、ブラウズ物品推薦の方法。
【請求項１１】
請求項１０記載のブラウズ物品推薦の方法において、該第２装置が、該第２物品が該第２集合に属することを定義した後、該第１サーバーに接続された該第２装置の該第２物品と該第１集合の該第１物品を対比する前に、さらに、
該第２装置が、該第２物品を、該第１サーバーに伝送するステップ、
を包含することを特徴とする、ブラウズ物品推薦の方法。
【発明の詳細な説明】
【技術分野】
【０００１】
本発明は一種のブラウズ物品推薦の方法に係り、特に、各ユーザーが納入する集合中のキーワード或いはウェブページ情報等の物品を記録することにより、物品間の関連性を判断し、並びにあるユーザーがある物品を対比するプロセスを対比するとき、この物品の所属する集合内のその他の物品を推薦する方法に関する。
【背景技術】
【０００２】
情報テクノロジーの躍進に伴い、現在、大量の情報の処理及び保存はもはや問題ではなくなっており、インターネットの出現は、さらに情報をスピーディーに伝播し、人々はインターネットを通して簡単に膨大な情報を取得し、各方面の情報に対する要求を満足させることができる。しかし、情報量の大幅なアップに伴い、使用者が、その接触する大量の情報中より自分が真に必要とする部分を取り出す必要があるとき、その難度は却って増加する。このような過量の情報は却って使用者が情報を利用する効率を低くし、これは現在派生している新興の情報問題である「情報オーバーロード」であり、経済学中でいう「ビュリダンの驢馬」のようであり、選択（情報）過多は、却って解決を遅らせ、厳重な情報オーバーロードは、情報マヒの現象を形成し得る。
【０００３】
インターネットのユーザーが、情報オーバーロードの形成する問題を解決するのを助けるため、システム開発者は、主動的にユーザーに向けて情報を推薦する情報推薦ツールを開発し、ユーザーの必要にマッチし得る情報を優先して表示し、ユーザーが大量の情報中より必要な情報をふるい分けする時間を節約できるようにしている。情報推薦ツールに常用されている方法は、文字情報或いは非文字情報に加えられた文字タグ中のキーワードを利用して検索を行ない、並びに検索演算の結果により情報推薦を実行する、というものである。このほか、情報推薦ツールはさらに、主動的にユーザーの個人情報中よりその他のキーワードを取り出し、重み付け演算と総合リスティングを行ない、推薦の結果をよりパーソナライズ、カスタマイズし、よりユーザーの必要に接近させる。優秀な情報推薦ツールは、十分にユーザーに向けてその要求にマッチする情報推薦サービスを提供でき、ユーザーに情報推薦ツールに対する信頼感を生ませ、ユーザーの、情報推薦ツールを使用する意欲を強化する。
【０００４】
しかし、周知のキーワードを主軸として情報検索と推薦を行なう情報推薦ツールは、ネックに突き当たっており、キーワード間の関連性は自動化して構築することが難しく、たとえば、携帯電話のブランドでは、ユーザーは通常、一次サーチでただ一つのブランドの携帯電話しか検索できず、これにより、ユーザーがある一つの携帯電話ブランドを検索或いはブラウズするとき、システムはその他の携帯電話ブランドを、キーワード或いは検索結果として自動推薦できず、情報推薦システムは効率的にユーザーに、必要とされ得る情報を推薦できない。このほか、現在の自動化されたキーワードピックアップ或いは選択のメカニズムは理想的ではなく、推薦結果の偏りを形成する。
【発明の概要】
【発明が解決しようとする課題】
【０００５】
これを鑑み、本発明は、一種の新規なブラウズ物品推薦の方法を提供し、それは伝統的な、キーワードによるサーチに依存する情報推薦ツール中で「全面自動化」を追求する思惟を超越し、ユーザー自身の判断行為を情報推薦ツール中に納入し、ユーザーが自由に関連性集合を構築でき並びに自身で関係があると判断したブラウズ物品を集合中に置き入れることができる情報推薦ツールを提供し、同時にシステムは背景中に、各ユーザーが構築した関連性集合中の物品（キーワード、ネットワーク情報等を包含する）を記録並びに対比し、ユーザーの判断を基礎とする物品関連性モデルを構築でき、この物品関連性モデルは後続のその他の関連性集合の構築と物品の置き入れにより、動態に修正され、その関連性物品の正確度を確保できる。
【０００６】
本発明の主要な目的は、一種のブラウズ物品推薦の方法を提供することにあり、それは、ユーザーの操作に照らして、サーバー中に、ユーザーがブラウズするウェブページと関連する複数物品を特定集合に属すると記録し、その他のユーザーの操作により、ある物品と対比するとき、ある物品とマッチする物品が特定集合中にあると判断すれば、該物品が所属する該特定集合のその他の物品をユーザーに推薦する方法であるものとする。
【０００７】
本発明の次の目的は、一種のブラウズ物品推薦の方法を提供することにあり、それは、ユーザーに、ユーザーがブラウズするウェブページと関連する複数の物品を、特定集合に納入する機能を提供し、ユーザーは、自分で関連性があると判断した物品を同一集合内に納入して物品の整理を行ない、後続の物品に対する編集及び利用を行なえる方法であるものとする。
【課題を解決するための手段】
【０００８】
上述の目的を達成するため、本発明は一種のブラウズ物品推薦の方法を提供し、その主要なステップは以下を包含する。すなわち、第１装置が少なくとも一つの第１ウェブページをブラウズし、且つ少なくとも一つの第１物品が該第１ウェブページに関連づけられる。該第１装置と接続された第１サーバーが該第１物品が少なくとも第１集合に所属することを記録する。該第１サーバーと接続された第２装置の第２物品と該第１集合の該第１物品を対比する。該第２物品が該第１物品にマッチするとき、該第１サーバーは該第１集合の該第１物品を該第２装置に伝送する。そのうち、該物品は、キーワード或いはウェブページ情報とされ得て、該ウェブページ情報はウェブアドレス、文字段落、イメージ、動画或いは埋め込み外部情報とされ得る。
【発明の効果】
【０００９】
これにより、本発明は一種のブラウズ物品推薦の方法を提供し、まず、第１装置により少なくとも一つの第１ウェブページがブラウズされ、該第１ウェブページは該第１装置がサーチエンジンに接続されて第１物品をサーチした結果であるか、或いは第１物品は第１ウェブページが包含するウェブページ情報、たとえばウェブアドレス、文字段落、イメージ、ビデオ或いは埋め込み外部情報等とされ、該第１装置は第１物品で検索するか或いは第１物品が属する第１集合を定義するとき、該第１装置と接続された第１サーバーは、第１物品が第１集合に属すると記録でき、ユーザーが物品を検索するか或いは物品を定義して物品を特定集合に所属させる行為により、物品間の関連性を記録して後続の判断の基礎となし、第１サーバーに接続された第２装置がサーチエンジンで第２物品を検索するか或いは第２物品が第２集合に属すると定義するとき、第２物品を第１物品と対比し、第２物品が第１物品にマッチするとき、第１サーバーが第１集合中のその他の第１物品を第２装置に伝送し、こうして相関ブラウズ物品の主動推薦の機能を達成する。
【図面の簡単な説明】
【００１０】
【図１Ａ】本発明の好ましい一つの実施例の装置関係図である。
【図１Ｂ】本発明の好ましい一つの実施例のステップフローチャートである。
【図２Ａ】本発明の好ましい別の実施例の装置関係図である。
【図２Ｂ】本発明の好ましい別の実施例のステップフローチャートである。
【発明を実施するための形態】
【００１１】
以下に本発明の技術内容、構造特徴、達成する目的及び作用効果について、以下に例を挙げ並びに図面を組み合わせて詳細に説明する。
【００１２】
本発明は一種のブラウズ物品推薦の方法であり、その特色は、すなわち以下のとおりである。本発明はサーバーによりユーザーの操作に照らしてある物品（キーワード或いはウェブページ情報等を包含する）が特定の集合に属することを記録し、その他のユーザーの操作により、ある物品と対比するとき、ある物品とマッチする物品であれば、該物品の所属する集合中のその他の物品をユーザーに推薦でき、ある物品が特定集合に属すると定義する動作が、ユーザーの物品関連性に対する判断に反映されるため、周知のブラウズ物品推薦の方法に較べると、本発明は、より人間的な感覚で操作でき、ユーザーの要求に接近するブラウズ物品を得られ、このほか、ユーザーが自主的にある物品を特定集合に所属させられる機能を有し、これにより、本発明はユーザーが関連ブラウズ物品を整理できるツールとされ得る。
【００１３】
図１Ａと図１Ｂを参照されたい。それは、本発明の第１実施例の装置関係図とステップフローチャートである。図１Ａに示されるように、本発明のブラウズ物品推薦の方法は、少なくとも、第１装置１、第２装置２、及び第１サーバー３を包含する。該第１サーバー３内には第１ウェブページ３２が保存され、第１物品３２０が該第１ウェブページ３２に関連づけられ、該第１ウェブページ３２は並びにもう一つの第１物品３２２を包含し、該第１サーバー３内には第１集合３０が記録され、これら第１物品３２０、３２２は該第１集合３０に属する。該第１装置１中に該第１物品３２０が発生し、並びに該第１サーバー３より該第１ウェブページ３２が読み取られ（該第１物品３２２を包含する）。該第２装置２中に第２物品３４０が発生し、並びに該第１サーバー３が伝送する該第１物品３２２を受け取る。そのうち、該第１物品３２０或いは３２２はキーワード或いはウェブページ情報とされ、該ウェブページ情報はウェブアドレス、文字段落、イメージ、動画或いは埋め込み外部情報とされ得る。
【００１４】
図１Ｂに示されるように、本発明のブラウズ物品推薦の方法は以下のステップを包含する。
【００１５】
ステップＳ２０：第１装置が第１ウェブページをブラウズする。
【００１６】
ステップＳ３０：第１装置と接続された第１サーバーが、第１ウェブページに関連する第１物品が第１集合に属することを記録する。
【００１７】
ステップＳ４０：第１サーバーと接続された第２装置が第２物品を第１集合の第１物品と対比する。
【００１８】
ステップＳ５０：第２物品が第１物品にマッチするとき、第１サーバーは第１集合のその他の物品を第２装置に伝送する。
【００１９】
本実施例中、該第１ウェブページ３２は、第１サーバー３に保存される。ステップＳ２０中、該第１装置１は、該第１サーバー３より該第１ウェブページ３２を読み取り、ブラウズを実行し、並びにステップＳ３０において、該第１サーバー３に、該第１ウェブページ３２に関連する該第１物品３２０と該第１ウェブページ３２に包含される該第１物品３２２が該第１集合３０に属することが記録される。
【００２０】
ステップＳ２０とステップＳ３０の実施を通して、該第１装置１のユーザーは、「切り抜き」に類似の操作を実行でき、その必要とする各第１物品（たとえば使用するキーワード或いは取得したウェブページ情報）を、その分類判断により各集合中に置き入れることができ、該第１装置１のユーザーにとっては、本発明は該第１物品３２０と３２２或いはその他のキーワード或いはウェブページ情報を整理し利用する機能を提供でき、後日に各物品に対してサーチ及び利用できる。
【００２１】
ステップＳ４０中、該第２装置２は該第１サーバー３をトリガして該第２物品３４０を該第１物品３２０と対比する。ステップＳ５０中、該第１サーバー３は、該第２装置２の該第２物品３４０が該第１物品３２０にマッチするかを判断し、マッチすれば、該第１物品３２０の所属する該第１集合３０中のその他の該第１物品３２２を、該第２装置２に伝送する。
【００２２】
ステップＳ４０とステップＳ５０の実施により、該第１サーバー３は、先に各ユーザーによりなされた各ウェブページ情報の「切り抜き」操作により構築された各第１集合中より、該第１物品３２０を包含するものを選び出し、並びに該第１物品３２０を包含する各第１集合が包含するその他の第１物品たとえば該第１物品３２２を、該第２装置２のユーザーに提供する。もし複数の第１集合が、該第１物品３２０を包含しており、該第１サーバー３が各第１集合中のその他の第１物品を重複して対比する回数が多くなるほど、より多くのユーザーがそれは該第１物品３２０と相関すると判断していることを代表し、これにより、該第１サーバー３は優先的に、該第１物品３２０を包含する各第１集合中の、重複回数が比較的高いその他の第１物品を提供し、該第２装置２のユーザーが必要とする該第１物品３２０と相関するその他の第１物品を提供できる。該第２装置２のユーザーに対して述べると、本発明は該第１物品３２０と相関する該第１物品３２２或いはその他のキーワード或いはウェブページ情報等の第１物品を推薦する機能を有し、こうしてその、該第１物品３２０を包含する特定情報テーマを処理する時間を節約する。
【００２３】
ステップＳ３０とステップＳ４０は、それぞれ該第１装置１のユーザーと該第２装置２のユーザーの操作によりトリガされる。該第１装置１のユーザーは、サーチエンジン中で、キーワードとされる第１物品（本実施例中の該第１物品３２０）により検索を実行するか、或いは第１装置１を通して、ウェブページ情報とされるもう一つの第１物品（本実施例中の該第１物品３２２）が第１集合３０に属すると定義し、該第１装置１に接続された該第１サーバー３に、該（これら）第１物品３２０或いは３２２が該第１集合３０に属すると記録させ、該第２装置２のユーザーは、サーチエンジンで、キーワードとされる第２物品（本実施例中の該第２物品３４０）で検索を実行するか、或いは該第２装置２を通して、ウェブページ情報のもう一つの第１物品が第２集合に属すると定義し、該第２装置２と接続された該第１サーバー３に、該第２物品３４０を該第１物品３２０と対比させる。本実施例中、該第１装置１のユーザーと該第２装置２のユーザーは、それぞれ該第１物品３２０と該第２物品３４０をキーワードとして、検索を行なう方式で、ステップＳ３０とステップＳ４０をトリガして実行し、その詳細な方法については、さらに以下のように説明する。
【００２４】
これにより、本実施例は、さらにサーチエンジン５を包含し得る。本実施例では、該第１装置１と該第２装置２は、それぞれ該第１サーバー３を通して間接的に該サーチエンジン５に接続され、且つ本実施例はステップＳ２０の前に、さらに以下のステップを包含する。
【００２５】
ステップＳ１０：第１装置がサーチエンジンに接続され並びに第１物品を以てサーチを行なう。
【００２６】
ステップＳ１２：第１装置はサーチエンジンにより第１物品を検索した結果、第１ウェブページをブラウズする。
【００２７】
ステップＳ１０中、該第１装置１は、該第１サーバー３を通して間接的に該サーチエンジン５に接続され、並びに該第１物品３２０（キーワード）を以て検索を行ない、ステップＳ１２中、該第１物品３２０を検索した結果により、該第１装置１に該第１ウェブページ３２をブラウズさせる。
【００２８】
このほか、本実施例はステップＳ３０の後、ステップＳ４０の前に、さらに以下のステップを包含する。
【００２９】
ステップＳ３２：第２装置がサーチエンジンに接続され並びに第２物品を以て検索を実行する。
【００３０】
ステップＳ３２中、該第２装置２は該第１サーバー３を通して間接的に該サーチエンジン５に接続され、並びに該第２物品３４０（キーワード）を以て検索を実行し、ステップＳ４０の実行をトリガし、該第１サーバー３に、該第２物品３４０と該第１物品３２０を対比させ、こうして該第２物品３４０とマッチする該第１物品３２０が所属する該第１集合３０を探し出す。
【００３１】
これにより、さらに該サーチエンジン５に接続され、及びステップＳ１０とステップＳ１２或いはステップＳ３２のさらなる実施により、該第１装置１のユーザーと該第２装置２のユーザーはそれぞれ該第１物品３２０と該第２物品３４０を以て該サーチエンジン５において検索を行なえ、後続のステップＳ３０とステップＳ４０の実行を誘発する。
【００３２】
本実施例中、該第１ウェブページ３２（及び該第１ウェブページ３２に包含される該第１物品３２２）及び該第２物品３４０に関連する第２ウェブページ３４は、該第１サーバー３中にバックアップされ、該第１ウェブページ３２と該第２ウェブページ３４のオリジナルソースは、図中にさらに包含される第２サーバー４とされる。該第２サーバー４は該第１ウェブページ３２と該第２ウェブページ３４を保存し、該第１装置１と該第２装置２はそれぞれ該第１サーバー３を介して間接的に該第２サーバー４に接続され、ステップＳ１２中、該サーチエンジン５により該第１物品３２０を検索した結果、間接的に該第２サーバー４に接続され並びに該第１ウェブページ３２を取得し、別にステップＳ３２の後、さらに該サーチエンジン５により該第２物品３４０を検索した結果、間接的に該第２サーバー４に接続され並びに該第２ウェブページ３４を取得する。
【００３３】
上述の装置の設置とステップＳ１０とステップＳ５０の実施により、本発明のブラウズ物品推薦の方法は、該第１サーバー３に応用されて該第１装置１と該第２装置２が該サーチエンジン５に接続されて該第２サーバー４と中継される状況で、ユーザーにブラウズ物品たとえばキーワード或いはウェブページ情報を整理するツールを提供でき、また、ユーザーがブラウズ物品を整理するときの判断行為より各ブラウズ物品の相関性を得て、その他のユーザーがそのうち一つのブラウズ物品を利用するときに、主動的に先のユーザーの判断より相関するブラウズ物品を推薦する機能を達成する。
【００３４】
図２Ａと図２Ｂを参照されたい。それは本発明の第２実施例の装置関係図とステップフローチャートである。図２Ａに示されるように、本実施例中に記載のブラウズ物品推薦の方法は、第１装置１、第２装置２及び第１サーバー３のほかに、さらに第２サーバー４を包含する。そのうち、該第２サーバー４内には、第１ウェブページ３２と第２ウェブページ３４、及び、該第１ウェブページ３２に包含される第１物品３２２、３２４と該第２ウェブページ３４に包含される第２物品３４２を保存する。該第１装置１は該第２サーバー４より該第１ウェブページ３２（及び該第１ウェブページ３２に包含される該第１物品３２２）を読み取り、並びにこれら第１物品３２２と３２４を該第１サーバー３に伝送する。該第１サーバー３内には、これら第１物品３２２と３２４が保存され、並びに第１集合３０が記録され、これら第１物品３２２と３２４は、該第１集合３０に属する。該第２装置２は、第２サーバー４より該第２ウェブページ３４を読み取り（及び該第２ウェブページ３４に包含される該第２物品３４２）を読み取り、該第２物品３４２を該第１サーバー３に伝送し並びに該第１サーバー３が伝送する該第１物品３２４を受け取る。
【００３５】
図２Ｂに示されるように、本発明のブラウズ物品推薦の方法は、ステップＳ２０の後のステップＳ３０の前にさらに以下のステップを包含する。
【００３６】
ステップＳ２２：第１装置が第１物品が第１集合に属すると定義する。
【００３７】
ステップＳ２４：第１装置が第１物品を第１サーバーに伝送する。
【００３８】
ステップＳ２２中、該第１装置１のユーザーは、該第１装置１を通してこれら第１物品３２２と３２４が該第１集合３０に属すると定義し、ウェブページをブックマークする場合と類似する操作ジェスチャーを利用し、それぞれこれら第１物品３２２と３２４を選択した後に、該第１集合３０にドラッグし、ステップＳ２４中で、該第１装置１よりこれら第１物品３２２と３２４を、該第１サーバー３に伝送して、ステップＳ３０をトリガし、該第１サーバー３に、これら該第１物品３２２と３２４が該第１集合３０に属することを記録させる。
【００３９】
このほか、本実施例のステップＳ３０の後の、ステップＳ４０の前に、さらに以下のステップを包含する。
【００４０】
ステップＳ３４：第２装置が、第２物品が第２集合に属すると定義する。
【００４１】
ステップＳ３４中、該第２装置２のユーザーは、該第２装置２を通して該第２物品３４２が第２集合（図中、符号なし）に属すると定義し、この操作により該ステップＳ４０の実行をトリガし、該第１サーバー３に、該第２物品３４２と該第１物品３２２を対比させることで、該第２物品３４２にマッチする該第１物品３２２が所属する該第１集合３０を探し出し、並びに、ステップＳ５０中、該第１サーバー３より該第１集合３０のその他の第１物品たとえば該第１物品３２４を、該第２装置２に伝送し、こうして該第２装置２のユーザーに推薦する。
【００４２】
本実施例中、該第１装置１と該第２装置２はそれぞれ独立して該第１サーバー３と該第２サーバー４に接続され、且つ該第１ウェブページ３２（及び該第１ウェブページ３２に包含される該第１物品３２２）と該第２ウェブページ３４（及び該第２ウェブページ３４に包含される第２物品３４２）は、該第２サーバー４に保存される。ステップＳ２４中、該第１サーバー３は、これら第１物品３２２と３２４のバックアップを保存でき、このほか、ステップＳ２２或いはステップＳ３４中で、該第１装置１がこれら第１物品３２２と３２４が該第１集合３０に属するものとする操作、或いは該第２装置２が該第２物品３４２が該第２集合に属するものとする操作は、バックグラウンドに常駐するプログラムにより検出され、並びに該第１装置１或いは該第２装置２が定義操作を行なう行為は、該第１サーバー３に報告され、これにより、該第１サーバー３はステップＳ３０を実行し、これら第１物品３２２と３２４が該第１集合３０に属すると記録するか、或いはステップＳ４０とステップＳ５０において、該第２物品３４２と該第１物品３２２を対比し、該第２物品３４２にマッチする該第１物品３２２が所属する該第１集合３０中のその他の第１物品、たとえば該第１物品３２４を推薦する。
【００４３】
上述の装置の設置と、ステップＳ２０からステップＳ５０の実施により、本発明のブラウズ物品推薦の方法は、該第１装置１と該第２装置２がそれぞれ該第１サーバー３と該第２サーバー４に接続されている状況で、第１実施例において述べられたように、ユーザーがブラウズ物品を整理するツールを提供すると共に、主動的に相関ブラウズ物品を推薦する機能を達成する。
【００４４】
総合すると、本発明のブラウズ物品推薦の方法は、ユーザーがキーワード或いはウェブページ情報等のブラウズ物品を、特定集合に納入する行為により、ブラウズ物品間の相関性を得て、並びに主動的に相関集合が包含するブラウズ物品をユーザーに推薦し、これによりユーザーが情報サーチするのに必要な時間を節約する目的を達成する。
【００４５】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【００４６】
本発明は新規性、進歩性、及び産業上の利用価値を有する発明であって、特許の要件を具えている。
【符号の説明】
【００４７】
１  第１装置
２  第２装置
３  第１サーバー
３０  第１集合
３２  第１ウェブページ
３２０  第１物品
３２２  第１物品
３２４  第１物品
３４  第２ウェブページ
４  第２サーバー
５  サーチエンジン
【図１Ａ】
2015090700.tif 000003
【図１Ｂ】
2015090700.tif 000004
【図２Ａ】
2015090700.tif 000005
【図２Ｂ】
2015090700.tif 000006